(57)【要約】  ドアベルシステムを使用して、第１閾値未満の第１電気が電子チャイムに入るのを阻止することができる。第１電気が電子チャイムに入るのを阻止することによって、電子チャイムは通知音を発することができない。ドアベルシステムはまた、第１閾値よりも大きい第２電気が電子チャイムに入ることを可能にするために使用できる。第２電気が電子チャイムに入ることを可能にすることによって、訪問者が存在することに応答して電子チャイムが通知音を発することを可能にすることができる。【選択図】図４
2021525979.tif 000002
【特許請求の範囲】
【請求項１】
ドアベルシステムであって、
カメラとボタンを備えるドアベル；
前記ドアベルおよび電源に対して電気的に接続されたスイッチアセンブリ；
チャイム；
を備えるドアベルシステム。
【請求項２】
前記チャイムは、前記スイッチアセンブリの第１スイッチと並列に電気的に接続され、
第１閾値未満の第１電気に応答して、前記第１スイッチは前記第１電気の少なくとも一部が前記スイッチアセンブリを通って流れることを可能にするように構成され、
前記第１閾値より大きい第２電気に応答して、前記第１スイッチは前記第２電気が前記スイッチアセンブリを通って流れることを可能にしないように構成されるとともに、前記第２電気が前記チャイムを通って流れることを可能にするように構成される、
請求項１記載のドアベルシステム。
【請求項３】
前記第１スイッチは、単極単投スイッチを備える
ことを特徴とする請求項２記載のドアベルシステム。
【請求項４】
前記第１スイッチが閉位置にあるとき、前記第１スイッチは前記電源と前記ドアベルとを電気的に接続する、
請求項２記載のドアベルシステム。
【請求項５】
前記ドアベルは、前記ドアベルの前記ボタンを押すことにより、前記第２電気が前記第１閾値よりも大きくなるように構成される、
請求項２記載のドアベルシステム。
【請求項６】
前記ドアベルシステムは、前記ボタンの押下に応じて、前記第２電気が所定時間だけ前記第１閾値を上回るように維持するように構成される、
請求項２記載のドアベルシステム。
【請求項７】
前記チャイムは、前記スイッチアセンブリの第１スイッチと並列に電気的に接続され、前記ドアベルの前記ボタンは訪問者が前記チャイムを鳴らすことを可能にするように構成可能であり、
前記第１スイッチは、第１状態および第２状態を有するように構成され、
前記第１状態は第１閾値未満の第１電気に応答して生じ、
前記第２状態は前記第１閾値よりも大きい第２電気に応答して生じ、
前記第１状態において、前記第１スイッチは前記第１電気の少なくとも一部が前記チャイムを通過することを防止して前記チャイムが通知音を発することを防止するように構成され、
前記第２状態において、前記スイッチアセンブリは前記チャイムが前記通知音を発するように前記第２電気が前記チャイムを通過することを可能にするように構成される、
請求項１記載のドアベルシステム。
【請求項８】
前記ドアベルは、前記ドアベルの前記ボタンを押すことにより、前記第２電気が前記第１閾値よりも大きくなって前記第２状態を生じさせるように構成される、
請求項７記載のドアベルシステム。
【請求項９】
前記第１状態において、前記スイッチアセンブリは、前記第１電気の一部が前記スイッチアセンブリを通過することを可能にするように構成される、
請求項７記載のドアベルシステム。
【請求項１０】
前記第１状態において、前記第１スイッチは、前記第１電気の一部が前記第１スイッチを通過することを可能にするように構成される、
請求項７記載のドアベルシステム。
【請求項１１】
前記スイッチアセンブリは前記チャイムに対して機械的に接続される、
請求項１０記載のドアベルシステム。
【請求項１２】
前記チャイムはプラスチックハウジングを備え、
前記スイッチアセンブリは前記プラスチックハウジングの内側に位置し、
前記ドアベルは、前記プラスチックハウジングの外側に位置し、かつ前記プラスチックハウジングに対して離れた位置に位置する、
請求項１０記載のドアベルシステム。
【請求項１３】
前記ドアベルシステムは、前記ボタンの押下に応じて、前記第２電気が所定時間だけ前記第１閾値を上回るように維持するように構成される、
請求項７記載のドアベルシステム。
【請求項１４】
前記ドアベルシステムはさらに、ユーザから所定時間量を受信するように構成されたリモートコンピューティングデバイスを備え、
前記所定時間量は、前記第２電気が前記第１閾値を超えて維持される時間量を定義する、
請求項７記載のドアベルシステム。
【請求項１５】
前記第１スイッチは、単極単投スイッチを備える、
請求項７記載のドアベルシステム。
【請求項１６】
前記スイッチアセンブリは、第１状態と第２状態とを有するように構成された第１スイッチを含み、前記第１状態は第１閾値よりも小さい第１電気に応答して生じ、前記第２状態は前記第１閾値よりも大きい第２電気に応答して生じ、
前記第１状態において、前記第１スイッチは閉位置となり、これにより前記ドアベルと前記電源との間で前記第１スイッチを通って第１電流が流れ、これにより前記第１状態の間に前記チャイムが通知音を発しないようにし、
前記第２状態において、前記第１スイッチは開位置となり、これにより前記第１スイッチは前記ドアベルと前記電源との間の前記第１スイッチを通って流れる第２電流を遮断する、
請求項１記載のドアベルシステム。
【請求項１７】
前記チャイムは、前記第１スイッチと並列に電気的に接続される、
請求項１６記載のドアベルシステム。
【請求項１８】
前記第１スイッチは、前記チャイムに対して機械的に連結され、前記ドアベルに対して遠隔に配置され、前記第１スイッチが前記第１状態にあるか前記第２状態にあるかを前記ドアベルが制御するように、前記ドアベルに対して電気的に接続される、
請求項１６記載のドアベルシステム。
【請求項１９】
前記チャイムは、前記第２状態に応答して前記通知音を発するように構成される、
請求項１６記載のドアベルシステム。
【請求項２０】
前記第１スイッチは、単極単投スイッチを備える、
請求項１６記載のドアベルシステム。
【請求項２１】
前記ドアベルは、前記ドアベルの前記ボタンを押すことによって、前記第２電気が前記第１閾値よりも大きくなり、前記第２状態を生じさせるように構成される、
請求項１６記載のドアベルシステム。
【請求項２２】
前記ドアベルシステムは、前記第２電気が所定時間だけ前記第１閾値を上回って維持するように構成される、
請求項１６記載のドアベルシステム。
【請求項２３】
ドアベルと電源を電気的に接続するように構成されたシステムであって、
チャイム；
前記チャイムに対して電気的および機械的に接続されたスイッチアセンブリ；
を備えるシステム。
【請求項２４】
前記チャイムは前記スイッチアセンブリの第１スイッチと並列に電気的に接続され、
第１閾値よりも小さい第１電気に応答して、前記第１スイッチは前記第１電気の少なくとも一部が前記スイッチアセンブリを通って流れることを可能にするように構成され、
前記第１閾値よりも大きい第２電気に応答して、前記第１スイッチは前記第２電気が前記スイッチアセンブリを通って流れることを可能にしないように構成されるとともに、前記第２電気が前記チャイムを通って流れることを可能にするように構成される、
請求項２３記載のシステム。
【請求項２５】
前記第１スイッチは、単極単投スイッチを備える、
請求項２４記載のシステム。
【請求項２６】
前記システムはさらに、前記ドアベルを含み、
前記ドアベルは、前記ドアベルのボタンを押すことによって前記ドアベルの第２スイッチが閉じられ、前記第２電気が前記第１閾値よりも大きくなるように構成される、
請求項２４記載のシステム。
【請求項２７】
前記チャイムは前記スイッチアセンブリの第１スイッチと並列に電気的に接続され、
前記第１スイッチは第１状態および第２状態を有するように構成され、
前記第１状態は第１閾値未満の第１電気に応答して生じ、
前記第２状態は前記第１閾値より大きい第２電気に応答して生じ、
前記第１状態において、前記第１スイッチは前記第１電気の少なくとも一部が前記チャイムを通過することを防止して、前記チャイムが通知音を発することを防止する、
請求項２３記載のシステム。
【請求項２８】
前記第２状態において、前記スイッチアセンブリは、前記第２電気が前記チャイムを通過して前記チャイムが前記通知音を発することを可能にする、
請求項２７記載のシステム。
【請求項２９】
前記スイッチアセンブリは、第１状態および第２状態を有するように構成された第１スイッチを備え、前記第１状態は第１閾値よりも小さい第１電気に応答して発生し、前記第２状態は前記第１閾値よりも大きい第２電気に応答して発生し、
前記第１状態において、前記第１スイッチは閉状態となり、これにより前記第１スイッチは、前記第１状態の間に前記チャイムが通知音を発しないように、前記第１スイッチと前記電源との間で第１電流が前記第１スイッチを通過して流れることを可能にするように構成され、
前記第２状態において、前記第１スイッチは開状態となり、これにより前記第１スイッチは、前記ドアベルと前記電源との間で第２電流が前記第１スイッチを通過して流れることを防止するように構成される、
請求項２３記載のシステム。
【請求項３０】
前記第１スイッチは、前記ドアベルに対して遠隔に配置されるとともに、前記第１スイッチが前記第１状態にあるかまたは前記第２状態にあるかを前記ドアベルが制御するように、前記ドアベルに対して電気的に接続される、
請求項２９記載のシステム。
【発明の詳細な説明】
【技術分野】
【０００１】
＜関連出願の相互参照＞
本出願は、２０１７年８月１０日に出願された発明の名称「DOORBELL COMMUNICATION AND Electrorical SYSTEMS」の米国特許出願第１５／６７３，８９６号の利益を主張し、その継続出願である。同出願の全内容は、参照により本明細書に組み込まれる。
【０００２】
米国特許出願第１５／６７３，８９６号は、２０１５年１月２日に出願された発明の名称「DOORBELL COMMUNICATION AND ELECTRICAL SYSTEMS」の米国特許出願第１４／５８８，８８１号の利益を主張し、その継続出願である。同出願の全内容は、参照により本明細書に組み込まれる。
【０００３】
米国特許出願第１４／５８８，８８１号は、２０１４年９月１日に出願された発明の名称「DOORBELL COMMUNICATION AND ELECTRICAL SYSTEMS」の米国特許出願第１４／４７４，２１０号の利益を主張し、その継続出願である。同出願の全内容は、参照により本明細書に組み込まれる。
【０００４】
米国特許出願第１４／４７４，２１０号は、２０１４年９月１日に出願された発明の名称「DOORBELL COMMUNICATION AND ELECTRICAL METHODS」の米国特許出願第１４／４７４，２０９号の利益を主張し、その継続出願である。同出願の全内容は、参照により本明細書に組み込まれる。
【０００５】
本出願は、２０１５年９月２２日に出願された発明の名称「DOORBELL COMMUNICATION SYSTEMS AND METHODS」の米国特許出願第１４／８６１，６１３号の利益を主張し、その一部継続出願である。
【０００６】
米国特許出願第１４／８６１，６１３号は、２０１５年３月２７日に出願された発明の名称「DOORBELL DIAGNOSTICS」の米国特許出願第１４／６７１，６７７号の利益を主張し、その一部継続出願である。同出願の全内容は、参照により本明細書に組み込まれる。
【背景技術】
【０００７】
＜技術分野＞
本明細書に開示される様々な実施形態は、ドアベルシステムに関する。特定の実施形態は、ドアベル電気システムに関連する。
【０００８】
＜関連技術の説明＞
建物は多くの場合、入場地点に配置されたドアベルを有し、これにより、訪問者は、自身が到着したことを建物の占有者に対して警告することができる。ドアベルは、典型的には訪問者がドアベルボタンを押すことに応答して通知音を発する、建物内のチャイムを有する。多くの場合、チャイムはアナログチャイムおよびデジタルチャイムとして利用できる。
【０００９】
アナログチャイムは通常、２つのフラットな金属製バー共振器を含み、これらの共振器は、２つのソレノイドによって作動するプランジャによって打たれる。アナログチャイムは通常、よく聞こえる「キンコン」音を発生させるために短時間の電気を必要とするが、これはプランジャが金属バーに当たる結果である。
【００１０】
デジタルチャイムは、音楽データを含む回路基板およびスピーカを使用する場合がある。このように、デジタルチャイムは、典型的な「キンコン」音と比較して、より広範な多様な音を出すことができる。これを達成するために、デジタルチャイムは、アナログの従来機種よりも長い期間にわたって電力を必要とする場合がある。
【００１１】
しかしながら、アナログおよびデジタルチャイムによって発せられる通知音は、通常、チャイム本体から短い距離の範囲内にしか聞こえない。例えば、自宅から遠く離れている住宅所有者は、通知音を聞くことができない可能性が高く、したがって、訪問者がドアベルを鳴らしていることに気付かない。したがって、建物の占有者が注目するように訪問者が求めていることを遠隔に位置する個人に対して警告するために、アナログチャイムおよびデジタルチャイムと互換性のあるデバイスおよび方法が必要とされている。
【発明の概要】
【課題を解決するための手段】
【００１２】
本開示は、カメラとボタンとを含む電子ドアベルを備えるドアベルシステムを含む実施形態を含み、前記カメラは訪問者を視覚的に検出するように構成可能であり、前記ボタンは訪問者が電子チャイムを鳴らすことができるように構成可能であり、前記電子ドアベルと変圧器に対して電気的に接続された電子スイッチアセンブリと、前記電子スイッチアセンブリに対して電気的に接続された電子チャイムとを含み、前記電子チャイムは、訪問者が前記電子ドアベルの前記ボタンを押すと通知音を発するように構成可能なスピーカを含む。前記電子スイッチアセンブリは、第１状態および第２状態を規定することができる。前記第１状態は第１閾値よりも小さい第１電気に応答して発生することができ、前記第２状態は前記第１閾値よりも大きい第２電気に応答して発生することができる。前記第１状態において、前記電子スイッチアセンブリは、前記第１電気が電子チャイムを通過するのを阻止して、前記電子チャイムが通知音を発しないようにしてもよい。前記第２状態において、前記電子スイッチアセンブリは、前記第２電気が電子チャイムを通過することにより、前記電子チャイムが通知音を発するようにしてもよい。
【００１３】
いくつかの実施形態では、前記電子チャイムは、デジタル音楽データに基づいて前記電子チャイムが前記スピーカから前記通知音を発することを可能にするように構成された第１プリント回路基板を有するデジタルチャイムを備えてもよい。前記電子ドアベルは、前記訪問者が前記ボタンを押すのに応じて前記第２電気が前記電子ドアベルの第２プリント回路基板に入るのを阻止するように構成された前記第２プリント回路基板を備えてもよい。
【００１４】
前記第１状態において、前記電子スイッチアセンブリは、前記第１電気が前記電子スイッチアセンブリを通過することを可能にしてもよい。いくつかの実施形態では、前記電子スイッチアセンブリが前記電子チャイムに対して機械的に接続されてもよい。前記ドアベルシステムのいくつかの実施形態は、プラスチックハウジングを備えることができる。前記電子チャイムおよび前記電子スイッチアセンブリは、前記プラスチックハウジングの内側に配置されてもよい。前記電子ドアベルは、前記プラスチックハウジングの外側かつ前記プラスチックハウジングに対して離れた位置に配置することができる。
【００１５】
前記ドアベルシステムのいくつかの実施形態はさらに、ユーザから所定の時間量を受信するように構成されたリモートコンピューティングデバイスを含むことができる。前記所定の時間量は、前記第２電気が前記第１閾値を上回って維持される時間の量を規定してもよい。
【００１６】
一部の実施形態において、前記電子スイッチアセンブリは、第１電子スイッチと、前記第１電子スイッチに対して電気的に接続される第２電子スイッチとを備えてもよい。前記第１電気に応答して：１）前記第１電子スイッチは、前記第１電気が前記電子スイッチアセンブリを通って流れることを可能にすることができ、前記第１電気が前記電子チャイムに対して流れないようにすることができ、２）前記第２電子スイッチは、前記第１電気が前記電子チャイムに対して流れないようにすることができる。前記第２電気に応答して、前記第１および第２電子スイッチは、前記第２電気が前記電子チャイムを通って流れることを可能にしてもよい。いくつかの実施形態において、前記第１電子スイッチは双極単投スイッチを備えてもよく、前記第２電子スイッチは単極単投スイッチを備えてもよい。
【００１７】
いくつかの実施形態において、前記第１電子スイッチが第１位置にあるとき、前記第１電子スイッチは前記変圧器と前記電子ドアベルとを電気的に接続することができ、前記第１電子スイッチが第２位置にあるとき、前記第１電子スイッチは前記変圧器と前記電子チャイムとを電気的に接続することができる。同様に、前記第２電子スイッチが開位置にあるとき、前記第２電子スイッチは前記電子ドアベルと前記電子チャイムとを電気的に切断することができ、前記第２電子スイッチが閉位置にあるとき、前記第２電子スイッチは前記電子ドアベルと前記電子チャイムとを電気的に接続することができる。いくつかの実施形態では、前記第１電子スイッチが前記第１位置にあるとき前記第２電子スイッチが前記開位置にあり、前記第１電子スイッチが前記第２位置にあるとき前記第２電子スイッチが前記閉位置にある。
【００１８】
いくつかの実施形態では、前記第１電子スイッチが第１位置にあるとき、前記第１電子スイッチは前記変圧器と前記電子ドアベルとを電気的に接続することができ、前記第１電子スイッチが第２位置にあるとき、前記第１電子スイッチは前記電子チャイムと前記電子ドアベルとを電気的に接続する。同様に、前記第２電子スイッチが開位置にあるとき、前記第２電子スイッチは前記変圧器と前記電子チャイムとを電気的に切断し、前記第２電子スイッチが閉位置にあるとき、前記第２電子スイッチは前記変圧器と前記電子チャイムとを電気的に接続する。一部の実施形態では、前記第１電子スイッチが前記第１位置にあるとき、前記第２電子スイッチは前記開位置にある。さらに、前記第１電子スイッチが前記第２位置にあるとき、前記第２電子スイッチは前記閉位置にあってもよい。
【００１９】
いくつかの実施形態において、前記電子スイッチアセンブリは、第１電子スイッチと、前記第１電子スイッチに対して電気的に接続された第２電子スイッチと、前記第１および第２電子スイッチに対して電気的に接続された第３電子スイッチとを備え、前記第１電気に応答して、１）前記第１電子スイッチは、前記第１電気が前記電子スイッチアセンブリを通って流れることを可能にし、前記第１電気が前記電子チャイムに対して流れないようにする、２）前記第２および第３電子スイッチは、前記第１電気が前記電子チャイムに対して流れることを可能にしない。同様に、前記第２電気に応答して、１）前記第１電子スイッチは、前記第２電気が前記電子スイッチアセンブリを通って流れることを可能にしない、２）前記第２および第３電子スイッチは、前記第２電気が前記電子チャイムに対して流れることを可能にする。いくつかの実施形態では、前記第１電子スイッチは第１単極単投スイッチを備え、前記第２電子スイッチは第２単極単投スイッチを備え、前記第３電子スイッチは第３単極単投スイッチを備える。
【００２０】
いくつかの実施形態では、前記第１電子スイッチが閉位置にあるとき、前記第１電子スイッチは前記変圧器と前記電子ドアベルとを電気的に接続し、前記第１電子スイッチが開位置にあるとき、前記第１電子スイッチは前記変圧器と前記電子ドアベルとを電気的に切断する。前記第２電子スイッチが閉位置にあるとき、前記第２電子スイッチは前記変圧器と前記電子チャイムとを電気的に接続し、前記第２電子スイッチが開位置にあるとき、前記第２電子スイッチは前記変圧器と前記電子チャイムとを電気的に切断する。同様に、前記第３電子スイッチが閉位置にあるとき、前記第３電子スイッチは前記電子ドアベルと前記電子チャイムとを電気的に接続し、前記第３電子スイッチが開位置にあるとき、前記第３電子スイッチは前記電子ドアベルと前記電子チャイムとを電気的に切断する。
【００２１】
さらに、前記ドアベルシステムの幾つかの実施形態では、前記第１電子スイッチが閉位置にあるとき、前記第２および第３電子スイッチはそれぞれ開位置にある。同様に、前記第１電子スイッチが開位置にあるとき、前記第２および第３電子スイッチはそれぞれ閉位置にある。
【００２２】
いくつかの実施形態は、カメラおよびボタンを備える電子ドアベルを含むドアベルシステムを含み、前記カメラは訪問者を視覚的に検知するように構成可能であり、前記ボタンは前記訪問者が電子チャイムを鳴らすことを可能にするように構成可能であり、前記電子ドアベルおよび変圧器に対して電気的に接続されたプリント回路基板と、前記プリント回路基板に対して電気的に接続され前記プリント回路基板に対して機械的に接続された電子チャイムとを含む。前記電子チャイムは、前記訪問者が電子ドアベルのボタンを押すことに応答して通知音を発するように構成可能なスピーカを備えることができる。前記プリント回路基板は、第１閾値未満である第１電気が前記電子チャイムに入るのを阻止するように構成してもよい。前記第１電気によって前記電子チャイムが通知音を発することはない。同様に、前記プリント回路基板は、前記第１電気が前記プリント回路基板を通過することを可能にするように構成してもよい。
【００２３】
いくつかの実施形態において、前記プリント回路基板は、前記第１閾値よりも大きい第２電気が前記電子チャイムに入ることを可能にするように構成される。前記第２電気は、前記電子チャイムに通知音を発信させることができる。
【００２４】
いくつかの実施形態において、前記プリント回路基板は、第１方向に沿って延びる長さと、前記第１方向とは反対の第２方向に沿って延びる幅とを規定する基部を備える。いくつかの実施形態では、前記長さは前記幅よりも大きくてもよい。前記プリント回路基板はさらに、前記第２方向に沿った長さから延びる３つのタブを備えることができる。いくつかの実施形態では、前記３つのタブのそれぞれは、前記第１方向および第２方向に対向する第３方向に沿って前記３つのタブそれぞれを通って延伸する開口を含む。いくつかの実施形態では、前記開口の各々がねじを切ったファスナを受け入れるように構成され、前記プリント回路基板は前記３つのねじを切ったファスナを介して前記電子チャイムに対して機械的に接続される。
【００２５】
いくつかの実施形態において、前記プリント回路基板は第１プリント回路基板である。前記電子ドアベルは、前記訪問者が前記ボタンを押すのに応じて前記第２電気が前記電子ドアベルの第２プリント回路基板に入るのを阻止するように構成された前記第２プリント回路基板を備えることができる。
【００２６】
さらに、いくつかの実施形態はドアベルシステムを使用するための方法を含み、前記ドアベルシステムは、電子ドアベル、電子チャイム、およびリモートコンピューティングデバイスを備える。前記方法は以下を有する：カメラとボタンを含む前記電子ドアベルを取得するステップであって、前記ボタンは訪問者が前記電子チャイムを鳴らすことができるように構成可能であり、前記電子チャイムは前記訪問者が前記電子ドアベルのボタンを押したことに応答して通知音を発するように構成可能なスピーカを含み、前記電子スイッチアセンブリを前記電子チャイムに電気的に接続する、ステップ；前記電子スイッチアセンブリに対して前記電子ドアベルを電気的に接続し、第１閾値未満である第１電気が前記電子チャイムに入ることなく前記電子スイッチアセンブリを通過するように前記電子スイッチアセンブリを構成するステップであって、前記第１電気は前記電子チャイムに前記通知音を発生させず、前記電子スイッチアセンブリは前記第１電気が前記第１閾値未満であることに応じて前記第１電気が前記電子チャイムを通過することをブロックする。いくつかの実施形態は、前記第１閾値よりも大きい第２電気が前記電子チャイムを通過して前記電子チャイムに通知音を発信させるように、前記電子スイッチアセンブリを構成するステップを含み、前記電子スイッチアセンブリは、前記第２電気が前記第１閾値よりも大きいことに応答して、前記第２電気が前記電子チャイムを通過するようにする。
【００２７】
いくつかの実施形態において、前記方法は前記電子スイッチアセンブリを前記電子チャイムに対して機械的に接続するステップをさらに含んでもよい。同様に、いくつかの実施形態は、第３電気が第１閾値未満であることに応答して、前記第３電気が変圧器から前記電子ドアベルと前記電子スイッチアセンブリを通過し、次いで、前記電子チャイムに入ることなく前記変圧器へ戻るように、電気回路を構成するステップを含んでもよい。一部の実施形態は、第４電気が前記変圧器から前記電子ドアベルおよび前記電子スイッチアセンブリへ通過するように、前記電気回路を構成するステップも含むことができる。前記第４電気は、前記第４電気が前記第１閾値よりも大きいことに応答して、前記電子スイッチアセンブリから前記電子チャイム内に迂回し、次いで、前記電子スイッチアセンブリ内に戻されてもよい。前記電子ドアベルおよび前記電子スイッチアセンブリは、前記電気回路において直列であってもよい。
【００２８】
多くの実施形態では、前記電子チャイムが第１プリント回路基板を有するデジタルチャイムを含み、前記方法はさらに、デジタル音楽データに基づいて前記電子チャイムが前記スピーカから前記通知音を発することを可能にするように、前記第１プリント回路基板を構成するステップを含んでもよい。いくつかの実施形態では、前記電子ドアベルが第２プリント回路基板を含み、前記方法はさらに、前記電子ドアベルの前記第２プリント回路基板を通過するように前記第１電気の少なくとも一部をルーティングするステップを含んでもよい。前記方法はさらに、前記訪問者が前記ボタンを押すのに応じて、前記第２電気が前記電子ドアベルの前記第２プリント回路基板に入るのを阻止するステップを含むことができる。同様に、前記方法は、前記訪問者が前記電子ドアベルの前記ボタンを押すのに応じて、前記第２電気を前記第１閾値よりも大きくさせるステップを含むことができる。
【００２９】
いくつかの実施形態において、前記ドアベルシステムはプラスチックハウジングを備える。前記方法はさらに、前記電子チャイムおよび前記電子スイッチアセンブリを前記プラスチックハウジングの内側に配置するステップを含むことができる。同様に、前記方法は、前記プラスチックハウジングの外側で、前記プラスチックハウジングに対して離れた場所に前記電子ドアベルを配置するステップを含んでもよい。
【００３０】
いくつかの実施形態はさらに、前記電子スイッチアセンブリを使用して、前記第１電気が前記第１閾値未満である間に、変圧器電力が前記電子チャイムに入るのを阻止するステップを含んでもよい。同様に前記方法は、前記第２電気が前記第１閾値よりも大きい間に、前記電子スイッチアセンブリを使用して、前記変圧器電力を前記電子スイッチアセンブリから前記電子チャイムへ迂回させるステップを含んでもよい。
【００３１】
いくつかの実施形態では、前記第１閾値は第１電力閾値である。いくつかの実施形態では、前記第１閾値は第１電圧閾値である。いくつかの実施形態では、前記第１閾値は第１電流閾値である。
【００３２】
いくつかの実施形態において、前記方法はさらに、前記第２電気が前記第１閾値を超える前に、前記リモートコンピューティングデバイスを介して所定の時間量を設定するステップを含むことができる。前記方法は、前記リモートコンピューティングデバイスから前記電子ドアベルに対して所定時間量を無線で送信するステップを含むことができる。前記第２電気が前記第１閾値よりも大きくなると、前記方法はさらに、前記第２電気を前記所定時間量の間、前記第１閾値を上回るように維持するステップを含んでもよい。
【００３３】
いくつかの実施形態はドアベルシステムを使用するための別の方法を含み、前記ドアベルシステムは、電子ドアベル、電子チャイム、およびリモートコンピューティングデバイスを備える。前記方法は、カメラおよびボタンを備える電子ドアベルを取得するステップを含むことができ、前記ボタンは訪問者が電子チャイムを鳴らすことを可能にするように構成可能であり、前記電子チャイムは、前記訪問者が前記電子ドアベルの前記ボタンを押すことに応答して通知音を発するように構成可能なスピーカを備える。前記方法は、プリント回路基板を前記電子チャイムに対して機械的に接続するステップと、前記プリント回路基板を前記電子チャイムに対して電気的に接続するステップとを含んでもよい。同様に、前記方法は、前記電子ドアベルを前記プリント回路基板に対して電気的に接続するステップと、第１電気が前記閾値未満であることに応答して、前記第１電気が前記プリント回路基板を通過させるように前記プリント回路基板を構成するステップとを含んでもよい。前記方法はまた、前記第１電気が前記第１閾値未満であることに応答して、前記第１電気が前記電子チャイムに入るのを阻止するように、前記プリント回路基板を構成するステップを含んでもよく、前記第１電気は前記電子チャイムに前記通知音を出させない。
【００３４】
いくつかの実施形態では、前記プリント回路基板が第１プリント回路基板であってもよく、前記電子ドアベルは第２プリント回路基板を備えてもよい。前記方法はさらに、前記第１電気の少なくとも一部が前記電子ドアベルの第２プリント回路基板を通過するようにルーティングするステップを含むことができる。前記方法はまた、前記訪問者が前記ボタンを押すのに応じて、前記第２電気が前記電子ドアベルの前記第２プリント回路基板に入るのを阻止するように、前記第２プリント回路基板を構成するステップを含んでもよい。
【００３５】
いくつかの実施形態において、前記方法は、前記プリント回路基板が前記第１閾値よりも大きい第２電気を前記電子チャイムに入射させて、前記電子チャイムに前記通知音を出させるように、前記プリント回路基板を構成するステップをさらに含んでもよい。前記プリント回路基板は、前記第２電気が前記第１閾値よりも大きいことに応答して、前記第２電気が前記電子チャイムを通過するようにすることができる。
【００３６】
いくつかの実施形態は、前記リモートコンピューティングデバイスを使用して、前記第２電気が前記第１閾値を超えた状態を維持する所定時間量を設定するステップをさらに含むことができる。同様に前記方法は、前記リモートコンピューティングデバイスから前記電子ドアベルに対して前記所定量を無線で送信するステップを含むことができる。前記第２電気が前記第１閾値よりも大きいことに応答して、前記方法は、前記電子ドアベルを使用して、前記第２電気を前記所定時間量の間に前記第１閾値よりも高く維持するステップを含んでもよい。
【００３７】
いくつかの実施形態では、前記ドアベルシステムはプラスチックハウジングを含んでもよく、前記電子チャイムおよび前記電子スイッチアセンブリは前記プラスチックハウジングの内側に配置されてもよく、前記電子ドアベルは前記プラスチックハウジングの外側かつ前記プラスチックハウジングに対して離れた場所に配置されてもよい。
【００３８】
いくつかの実施形態は、ドアベルシステムを使用することを含む。前記ドアベルシステムは、電子ドアベル、電子チャイム、およびリモートコンピューティングデバイスを含むことができる。前記方法は、カメラおよびボタンを含む電子ドアベルを得るステップを含むことができる。前記ボタンは訪問者が電子チャイムを鳴らすことを可能にするように構成可能であってもよく、前記電子チャイムは前記訪問者が前記電子ドアベルのボタンを押すことに応答して通知音を発するように構成可能なスピーカを備える。前記方法は、プリント回路基板を前記電子チャイムに対して機械的に接続するステップと、前記プリント回路基板を前記電子チャイムに対して電気的に接続するステップとを含んでもよい。同様に前記方法は、前記電子ドアベルを前記プリント回路基板に対して電気的に接続するステップを含んでもよい。前記方法は、前記第１閾値よりも大きい第２電気が前記電子チャイムを通過して前記電子チャイムに前記通知音を出させるように、前記電子スイッチアセンブリを構成するステップを含んでもよい。前記電子スイッチアセンブリは、延期第２電気が前記第１閾値よりも大きいことに応答して、前記第２電気が前記電子チャイムを通過するようにしてもよい。
【００３９】
いくつかの実施形態では、前記プリント回路基板は第１プリント回路基板であり、前記電子ドアベルは第２プリント回路基板を備える。前記方法はさらに、前記第１電気の少なくとも一部が前記電子ドアベルの前記第２プリント回路基板を通過するようにルーティングするステップを含むことができる。前記方法はまた、前記訪問者が前記ボタンを押すのに応じて、前記第２電気が前記電子ドアベルの前記第２プリント回路基板に入るのを阻止するように、前記第２プリント回路基板を構成するステップを含んでもよい。
【００４０】
多くの実施形態は、前記第２電気を所定時間量の間、前記第１閾値を超えて維持するステップをさらに含むことができる。いくつかの実施形態において、前記方法は、前記第２電気が前記第１閾値を超える前に、前記リモートコンピューティングデバイスを介して前記所定時間量を設定するステップと、前記所定時間量を前記リモートコンピューティングデバイスから前記電子ドアベルに対して無線で送信するステップとを含むことができる。
【図面の簡単な説明】
【００４１】
これらおよび他の特徴、態様、および利点は図面を参照して以下に記載され、図面は本発明を例示することを意図しているが、本発明を限定することを意図していない。図面において、同様の参照符号は、同様の実施形態全体にわたって一貫して対応する特徴を示す。
【図１】いくつかの実施形態による通信システムの正面図を示す。
【図２】いくつかの実施形態による、ソフトウェアを実行するコンピューティングデバイスを示す。
【図３】いくつかの実施形態による、セキュリティシステムが建物に対して接続される実施形態を示す。
【図４】いくつかの実施形態によるドアベルシステムの概略図を示す。
【図５】いくつかの実施形態による、第１状態にあるスイッチアセンブリを備えた、図４のドアベルシステムの概略図を示す。
【図６】いくつかの実施形態による、スイッチアセンブリが第２状態にある、図４のドアベルシステムの概略図を示す。
【図７】いくつかの実施形態によるドアベルシステムの概略図を示す。
【図８】いくつかの実施形態による、スイッチアセンブリを第１状態にした、図７のスイッチアセンブリの概略図を示す。
【図９】いくつかの実施形態による、スイッチアセンブリを第２状態にした、図７のスイッチアセンブリの概略図を示す。
【図１０】いくつかの実施形態によるドアベルシステムの概略図を示す。
【図１１】いくつかの実施形態による、スイッチアセンブリを第１状態にした、図１０のスイッチアセンブリの概略図を示す。
【図１２】いくつかの実施形態による、スイッチアセンブリを第２状態にした、図１０のスイッチアセンブリの概略図を示す。
【図１３】いくつかの実施形態による、電子スイッチアセンブリを示す図である。
【図１４】いくつかの実施形態による、ドアベルシステムを使用する様々な方法のフローチャートを示す。
【図１５】いくつかの実施形態による、ドアベルシステムを使用する様々な方法のフローチャートを示す。
【図１６】いくつかの実施形態による、ドアベルシステムを使用する様々な方法のフローチャートを示す。
【発明を実施するための形態】
【００４２】
特定の実施形態および例が以下に開示されるが、本発明の主題は具体的に開示された実施形態を超えて、他の代替実施形態および／または使用、ならびにその修正および均等物に及ぶ。したがって、ここに付記される特許請求範囲は、以下に説明する特定の実施形態のいずれによっても限定されるものではない。例えば、本明細書で開示される任意の方法またはプロセスにおいて、方法またはプロセスの動作または操作は、任意の適切な順序で実行されてもよく、必ずしも任意の特定の開示された順序に限定されない。様々な動作は特定の実施形態を理解するのに役立ち得る方法で、複数の別個の動作として順番に説明されてもよいが、説明の順序はこれらの動作が順序に依存することを暗示するように解釈されるべきではない。さらに、本明細書で説明される構造、システム、および／またはデバイスは、統合された構成要素として、または別個の構成要素として具現化され得る。
【００４３】
様々な実施形態を比較するために、これらの実施形態の特定の態様および利点を説明する。必ずしもすべてのそのような態様または利点が、任意の特定の実施形態によって達成されるわけではない。したがって、例えば、様々な実施形態は、本明細書で教示または示唆され得るような他の態様または利点を必ずしも達成することなく、本明細書で教示されるような１つの利点または利点のグループを達成または最適化する方法で実行され得る。
【００４４】
建物は、入口ポイントにドアベルボタンを持っている場合がある。ドアベルボタンは、建物内に配置されたチャイムに電気的に接続されている。したがって、訪問者がドアベルボタンを押すと、これにより、チャイムから通知音が発せられ、建物の占有者に対して訪問者の到着を警告することができる。チャイムは、アナログチャイムまたはデジタルチャイムとして利用可能であってもよいことを理解されたい。
【００４５】
デジタルチャイムは、音楽データを含む回路基板と、楽曲を再生するように構成されたスピーカとを含むことができる。デジタルチャイムは、アナログチャイムよりも長い時間にわたって電気を必要とする場合がある。したがって、デジタルチャイムは、アナログチャイムシステムでは利用できない可能性のある追加の電気コンポーネントを必要とする場合がある。このように、本明細書で説明される様々な実施形態は、電子ドアベルおよびデジタルドアベルチャイムの使用方法およびシステムを提供する。
【００４６】
＜ドアベルシステムの実施形態＞
通信システムは、遠隔に位置する個人が近接センサまたは運動センサなどのセンサに対して近づいている人と通信し、または戸口の近くやドアの１５フィート以内に位置するドアベルを鳴らす人と通信するための、安全で便利な方法を提供することができる。いくつかの通信システムは、個人が通信システムの少なくとも一部に接近し、および／またはドアベルのボタンなどのボタンを押す訪問者に対して、聞き、見、話すことを可能にする。例えば、通信システムは遠隔に位置する人が訪問者を見たり、聞いたり、および／または話したりすることを可能にするために、コンピューティング装置を使用することができる。コンピューティングデバイスは、コンピュータ、ラップトップ、タブレット、モバイルデバイス、スマートフォン、携帯電話、およびワイヤレスデバイス（例えば、ワイヤレス通信を有する自動車）を含むことができる。コンピューティングデバイスの例としては、アップル社製のｉＰｈｏｎｅ（登録商標）、ｉＰａｄ（登録商標）、ｉＭａｃ、MacBook Air、およびMacBook Proが含まれる。遠隔に位置する人と訪問者との間の通信は、インターネット、セルラネットワーク、電気通信ネットワーク、および無線ネットワークを介して行われる。
【００４７】
図１は、通信システムの実施形態の正面図を示す。通信システム２００は、セキュリティシステム２０２（例えば、ドアベル）およびコンピューティングデバイス２０４を含むことができる。図示するセキュリティシステム２０２は１つのハウジング内に多くの構成要素を含むが、いくつかのセキュリティシステムの実施形態は別個のハウジング内に構成要素を含む。セキュリティシステム２０２は、カメラアセンブリ２０８と、ドアベルボタン２１２とを含むことができる。カメラアセンブリ２０８はビデオカメラであってもよく、一部の実施形態ではウェブカメラである。セキュリティシステム２０２は、診断ライト２１６およびパワーインジケータライト２２０を含むことができる。いくつかの実施形態では、セキュリティシステム２０２および／または通信システム２００が無線インターネットネットワークに接続されている場合、診断ライト２１６は第１色（例えば、青色）であり、セキュリティシステム２０２および／または通信システム２００が無線インターネットネットワークに接続されていない場合、第２色（例えば、赤色）である。いくつかの実施形態では、セキュリティシステム２０２が電源に接続されている場合、電力インジケータ２２０は第１色である。電源は、セキュリティシステム２０２が取り付けられる建物によって供給される電力とすることができる。いくつかの実施形態では、セキュリティシステム２０２が電源に接続されていない場合、電力インジケータ２２０は第２色であるかまたは発光しない。
【００４８】
セキュリティシステム２０２（例えば、ドアベル）は、耐水性および／または防水性である外側ハウジング２２４を含む。外側ハウジングは、６０ショアＤの硬度を有する成形プラスチックなどの金属またはプラスチックから作ることができる。いくつかの実施形態では、外側ハウジング２２４はブラッシングされたニッケルまたはアルミニウムから作られる。
【００４９】
ゴムシールを使用して、外側ハウジング２２４を耐水性または防水性にすることができる。セキュリティシステム２０２は、建物の電力システムに対して電気的に接続されたワイヤなどの電源と電気的に接続することができる。いくつかの実施形態では、セキュリティシステム２０２はバックアップおよび／または主電力のためのバッテリを含む。
【００５０】
無線通信２３０は、セキュリティシステム２０２（例えばドアベル）がコンピューティングデバイス２０４と通信することを可能にすることができる。いくつかの実施形態は、セルラおよび／またはＷｉＦｉネットワークを介した通信を可能にする。一部の実施形態は、インターネットを介した通信を可能にする。いくつかの実施形態は、セキュリティシステム２０２とコンピューティングデバイス２０４との間の有線通信を可能にする。無線通信２３０は以下の通信手段を含むことができる：無線、ＷｉＦｉ(例えば、無線ローカルエリアネットワーク）、セルラ、インターネット、Ｂｌｕｅｔｏｏｔｈ（登録商標）、電気通信、電磁気、赤外線、光、音波、およびマイクロ波。いくつかの実施形態では、他の通信手段が使用される。電気通信またはセルラ通信手段を含む実施形態などのいくつかの実施形態では、セキュリティシステム２０２が音声通話を開始するか、またはテキストメッセージをコンピューティングデバイス２０４（例えば、スマートフォン、デスクトップコンピュータ、タブレットコンピュータ、ラップトップコンピュータ）に対して送信することができる。
【００５１】
いくつかの実施形態は、スマートフォン、タブレットコンピュータ、および他のモバイルデバイス上で実行するように設計されたモバイルアプリケーションであるコンピュータソフトウェア（例えば、アプリケーションソフトウェア）を含む。この性質のソフトウェアは、「アプリ」ソフトウェアと呼ばれることがある。一部の実施形態は、デスクトップコンピュータおよびラップトップコンピュータ上で実行するように設計されたソフトウェアを含む。
【００５２】
コンピューティングデバイス２０４は、グラフィカルユーザインタフェースを用いてソフトウェアを実行することができる。ユーザインターフェースには、アイコンやボタンを含めることができる。いくつかの実施形態では、ソフトウェアがスマートフォンまたはタブレットなどのタッチスクリーンコンピューティングデバイスと共に使用するように構成される。
【００５３】
図２は、ソフトウェアを実行するコンピューティングデバイス２０４を示す。ソフトウェアは、表示画面２４２上に表示されるユーザインターフェース２４０を含む。ユーザインタフェース２４０は、ユーザインタフェースが表示しているセキュリティシステムの位置を示すことができるセキュリティシステムインジケータ２４４を含むことができる。例えば、人は、１つのコンピューティングデバイス２０４を使用して、フロントドアに配置された１つのセキュリティシステムおよびバックドアに配置された別のセキュリティシステムなど、複数のセキュリティシステムを制御および／または対話することができる。セキュリティシステムインジケータ２４４を選択することにより、ユーザは別のセキュリティシステム（例えば、フロントドアセキュリティシステムではなくバックドアセキュリティシステム）を選択することができる。
【００５４】
ユーザインターフェース２４０は、接続インジケータ２４８を含むことができる。実施形態において、接続インジケータは、コンピューティングデバイスがセキュリティシステム、インターネット、および／またはセルラネットワークと通信しているかどうかを示すことができる。接続インジケータ２４８は、コンピューティングデバイス２０４がセキュリティシステム２０２との接続を失った場合、セキュリティシステム２０２が損傷した場合、セキュリティシステム２０２が盗まれた場合、セキュリティシステム２０２が取り付け位置から取り外された場合、セキュリティシステム２０２が電力を失った場合、および／またはコンピューティングデバイス２０４がセキュリティシステム２０２と通信できない場合に、ユーザへ警告することができる。いくつかの実施形態では、接続インジケータ２４８が点滅すること、音を発すること、メッセージを表示すること、および／またはシンボルを表示することによって、コンピューティングデバイス２０４のユーザに警告する。
【００５５】
ある実施形態では、セキュリティシステム２０２が電力を失い、コンピューティングデバイス２０４への接続を失い、インターネットへの接続を失い、および／またはリモートサーバへの接続を失った場合、リモートサーバ２０６は電力および／または接続の問題に関する警告（例えば、電話、テキストメッセージ、ユーザインターフェース２４０上の画像）を送信する。いくつかの実施形態において、リモートサーバ２０６は、セキュリティシステム２０２とコンピューティングデバイスとの間の通信を管理することができる。いくつかの実施形態において、セキュリティシステム２０２からの情報は、リモートサーバ２０６によって記憶される。いくつかの実施形態では、セキュリティシステム２０２からの情報は、情報がコンピューティングデバイス２０４に送られ、コンピューティングデバイス２０４にアップロードされ、および／またはコンピューティングデバイス２０４を介して遠隔に位置する人物に表示されるまで、リモートサーバ２０６によって記憶される。リモートサーバ２０６は、セキュリティシステム２０２および／またはコンピューティングデバイス２０４からの情報を記憶するコンピューティングデバイスとすることができる。いくつかの実施形態では、リモートサーバ２０６がデータセンタ内に配置される。
【００５６】
ある実施形態では、コンピューティングデバイス２０４および／またはリモートサーバ２０６は、セキュリティシステム２０２との通信を試みる。コンピューティングデバイス２０４および／またはリモートサーバ２０６がセキュリティシステム２０２と通信できない場合、コンピューティングデバイス２０４および／またはリモートサーバ２０６は、ソフトウェア、電話、テキスト、表示メッセージ、および／またはウェブサイトを介して、遠隔に位置する人物に警告する。いくつかの実施形態では、コンピューティングデバイス２０４および／またはリモートサーバ２０６が定期的に、少なくとも５時間ごとおよび／または１０分ごと未満で、少なくとも２４時間ごとおよび／または６０分ごと未満で、または少なくとも１時間ごとおよび／または１秒ごと未満で、セキュリティシステム２０２との通信を試みる。
【００５７】
ある実施形態では、サーバ２０６がコンピュータ装置２０４および／またはセキュリティシステム２０２への通信を開始することができる。いくつかの実施形態において、サーバ２０６は、コンピューティングデバイス２０４とセキュリティシステム２０２との間の通信を開始、制御、および／またはブロックすることができる。
【００５８】
いくつかの実施形態では、ユーザが本明細書で説明するセキュリティシステム設定を調整するために、コンピューティングデバイス（例えば、モバイルコンピューティングデバイス、スマートフォン、タブレット、デスクトップコンピュータ）上の「ａｐｐ」、ウェブサイト、および／またはソフトウェアにログインすることができる。
【００５９】
いくつかの実施形態では、訪問者のアクションに起因するのではなく、ユーザの要求に起因して、ユーザがライブビデオを見ること、および／またはセキュリティシステムからライブオーディオを聞くことを、コンピューティングデバイスが可能にすることができる。いくつかの実施形態は、ライブビデオフィード（または経過時間５分未満のビデオフィード）を開始するコンピューティングデバイスを含む。
【００６０】
いくつかの実施形態において、ユーザインターフェース２４０は、セキュリティシステム２０２の近くおよび／または前方の領域の静止画像またはビデオなどの画像２５２を表示する。画像２５２は、カメラアセンブリ２０８によって取得され、セキュリティシステム２０２、サーバ２０６、および／またはコンピューティングデバイス２０４によって格納される。ユーザインターフェース２４０は、ユーザがカメラアセンブリ２０８、セキュリティシステム２０２のマイクロフォン、および／またはコンピューティングデバイス２０４のマイクロフォンから画像、ビデオ、および／または音声を記録することを可能にする記録ボタン２５６を含むことができる。
【００６１】
いくつかの実施形態において、ユーザインターフェース２４０は、ユーザがセキュリティシステム２０２の近くおよび／または前のエリアの静止画および／またはビデオを撮ることを可能にするためのピクチャボタン２６０を含む。ユーザインタフェース２４０はまた、サウンド調整ボタン２６４およびミュートボタン２６８を含むことができる。ユーザインタフェース２４０は、ズーム、パン、および光調整ボタンなどのカメラ操作ボタンを含むことができる。一部の実施形態において、カメラアセンブリ２０８は、デイモードとナイトモードとの間で自動的に調整する。一部の実施形態は、セキュリティシステム２０２の近くの領域を照らすために赤外線カメラおよび／または赤外線ライトを含み、カメラアセンブリ２０８が十分な視界（夜間でさえ）を提供できるようにする。
【００６２】
いくつかの実施形態において、ボタンは、様々なオプション、特徴、および機能を選択する多様な手段を含む。ボタンは、マウスクリック、キーボードコマンド、およびタッチスクリーンに触れることによって選択することができる。多くの実施形態は、タッチスクリーンなしで選択することができるボタンを含む。
【００６３】
いくつかの実施形態において、ユーザインターフェース２４０は、セキュリティシステム２０２からコンピューティングデバイス２０４および／またはコンピューティングデバイス２０４からセキュリティシステム２０２に送信されるデータの品質および／または量をユーザが選択できる品質選択ボタンを含む。
【００６４】
いくつかの実施形態において、ビデオは、ＦａｃｅＴｉｍｅ（登録商標）(アップル社による）またはＳｋｙｐｅ(マイクロソフト社による）などのビデオチャットプロトコルを使用して、コンピューティング装置２０４との間で送受信することができる。いくつかの実施形態では、これらのビデオがユーザインターフェース２４０によって再生される代わりに、コンピューティングデバイス２０４上のビデオ会議アプリによって再生される。
【００６５】
ユーザインターフェース２４０は、セキュリティシステム２０２とコンピューティングデバイス２０４との間の通信を終了するために、終了ボタン２７６を含むことができる。いくつかの実施形態において、終了ボタン２７６は、セキュリティシステム２０２の近くに位置する人物（すなわち、訪問者）がコンピューティングデバイス２０４のユーザに対して聞き、および／または見る能力を終了するが、コンピューティングデバイス２０４のユーザがセキュリティシステム２０２の近くに位置する人物に対して聞き、および／または見る能力を終了しない。
【００６６】
いくつかの実施形態では、ボタン２７６は（訪問者からの通信要求を受け入れるための）応答ボタンであり、かつ（セキュリティシステム２０２とコンピューティングデバイス２０４との間の通信を終了するための）終了ボタンである。ボタン２７６は、システムが訪問者とユーザとの間の双方向通信を確立しようとしているときに「アンサー」という語を含むことができる。システムが訪問者とユーザとの間の双方向通信を確立しようとしているときにボタン２７６を選択すると、双方向通信を開始することができる。ボタン２７６は、訪問者とユーザとの間の双方向通信中に「エンドコール」という語を含むことができる。訪問者とユーザとの間の双方向通信中にボタン２７６を選択すると、双方向通信を終了することができる。いくつかの実施形態では、双方向通信を終了した後も、ユーザは訪問者を見て聞くことができる。いくつかの実施形態では、双方向通信を終了することにより、コンピューティングデバイス２０４はセキュリティシステムからのビデオの表示を停止し、セキュリティシステムによって記録されたサウンドの発信を停止する。
【００６７】
いくつかの実施形態では、セキュリティシステムが訪問者を検出する（例えば、訪問者の指示を感知する）とユーザインターフェース２４０がすぐに開く。ユーザインターフェース２４０が開くと、ユーザはいくつかの実施形態において、「応答する」かまたは他の方法で双方向通信を受け入れる前であっても、訪問者を見たり、聞いたりすることができる。
【００６８】
いくつかの方法の実施形態は、セキュリティシステムを用いて訪問者を検出することを含む。この方法は（例えば、ユーザ対話の有無にかかわらず）訪問者の検出に起因して、ユーザインターフェースをリモートコンピューティングデバイス２０４上に表示させることを含むことができる。この方法は、ユーザが訪問者との双方向通信を受け入れる前に、セキュリティシステムからのビデオおよび／またはセキュリティシステムからのオーディオを表示することを含むことができる。この方法は、ユーザが訪問者の通信要求を受け入れる前に、セキュリティシステムからのビデオおよび／またはセキュリティシステムからのオーディオを表示することを含むことができる。この方法は、ユーザが通信要求を受け入れ（例えば、応答）、訪問者の音声および／またはビデオを表示することを望むかどうかをユーザに同時に尋ねるコンピューティング装置を含むことができる。例えば、いくつかの実施形態では、ユーザが訪問者との双方向通信手段を開く前に、セキュリティシステムを介して訪問者を見て聞くことができる。
【００６９】
いくつかの実施形態において、ソフトウェアは、オンデマンドでビデオフィードを開始する手段を含む。例えば、コンピューティングデバイスのユーザは、セキュリティシステム２０２の近くで何が起こっているかを知りたい場合がある。ユーザはコンピューティングデバイス２０４上でソフトウェアアプリケーションを開き、セキュリティシステム２０２付近のイベントが通信をトリガしていない場合でも、セキュリティ装置２０２からライブビデオおよび／またはオーディオを表示するようにアプリケーションへ指示することができる。
【００７０】
いくつかの実施形態において、セキュリティデバイス２０２は、セキュリティデバイス２０２が人の動きおよび／または存在を検出した時点を記録するように構成することができる。コンピューティングデバイス２０４のユーザは、セキュリティ装置２０２が人物の動きおよび／または存在を検出したときに、後からすべてのビデオおよび／またはオーディオ記録をレビューすることができる。
【００７１】
図１を参照する。いくつかの実施形態において、サーバ２０６は、コンピューティングデバイス２０４とセキュリティシステム２０２（例えばカメラ、マイクロフォン、およびスピーカを備えたドアベル）との間の通信を制御する。いくつかの実施形態において、サーバ２０６は、コンピュータデバイス２０４とセキュリティシステム２０２との間の通信を制御しない。
【００７２】
ある実施形態では、セキュリティシステムおよび／またはコンピューティングデバイス２０４によって捕捉されたデータ（ビデオ、画像、およびオーディオなど）は、サーバ２０６などの別の遠隔装置によって記憶される。クラウドストレージ、エンタープライズストレージ、および／またはネットワーク化されたエンタープライズストレージは、通信システム２００から、または通信システム２００の任意の部分から、ビデオ、画像、および／またはオーディオを記憶するために使用することができる。ユーザは、記憶されたデータおよび／または記憶ビデオ、画像および／または音声をダウンロードおよび／またはストリーミングすることができる。例えば、ユーザは１年間訪問者を記録することができ、その後、昨年からの訪問者との会話をレビューすることができる。ある実施形態において、遠隔記憶装置、サーバ２０６、コンピューティングデバイス２０４、および／またはセキュリティシステム２０２は、訪問者および使用に関する情報および統計を記憶することができる。
【００７３】
図３は、セキュリティシステム２０２がドア２５４を有する入口通路３１０を含む建物３００に接続される実施形態を示す。ドアロック２５０は、ドア２５４をロックおよびロック解除するように構成することができる。電気ワイヤ３０４は、セキュリティシステム２０２を建物３００の電気システムに対して電気的に接続することができ、これにより、セキュリティシステム２０２は建物３００から電力を受け取ることができる。
【００７４】
無線ネットワーク３０８は、装置が無線でインターネットにアクセスできるようにすることができる。セキュリティシステム２０２は、無線ネットワーク３０８を介してインターネットにアクセスすることができる。無線ネットワーク３０８はセキュリティシステム２０２からインターネットに対してデータを送信することができ、インターネットは遠隔に位置するコンピューティングデバイス２０４に対してデータを送信することができる。インターネットおよび無線ネットワークは、遠隔に配置されたコンピューティングデバイス２０４からセキュリティシステム２０２に対してデータを送信することができる。いくつかの実施形態では、セキュリティシステム２０２は家庭のＷｉＦｉに接続する。
【００７５】
図３に示すように、１つのコンピューティングデバイス２０４（例えば、ラップトップ、スマートフォン、モバイルコンピューティングデバイス、テレビ）は、複数のセキュリティシステム２０２と通信することができる。いくつかの実施形態において、複数のコンピューティングデバイス２０４は、１つのセキュリティシステム２０２と通信することができる。いくつかの実施形態では、セキュリティシステム２０２がテレビ３０６（例えばスマートテレビ）と（例えば、ワイヤレス２３０で）通信することができる。ユーザは訪問者を見るために、および／または訪問者と話すために、テレビ３０６を見ることができる。
【００７６】
図４−１２は、電気を遮断および／または電気が電子チャイム４１２（例えば、デジタルチャイム）に入ることを可能にするための電子スイッチアセンブリを含む、ドアベルシステムのいくつかの実施形態を図示する。図４に示す例において、ドアベルシステム４００は、カメラおよびボタンを備えるセキュリティシステム２０２（例えば、電子ドアベル）を含む。カメラは、訪問者を視覚的に検出するように構成可能である。同様に、ボタンは、訪問者が電子チャイム４１２を鳴らすことを可能にするように構成可能である。このようにして、電子チャイム４１２は、訪問者がセキュリティシステム２０２のボタンを押すことに応答して通知音４３０を発するように構成可能なスピーカを備えることができる。
【００７７】
ドアベルシステム４００は、セキュリティシステム２０２に対して電気的に接続された電子スイッチアセンブリ４１０と、変圧器４２４とを含んでもよい。同様に、電子チャイム４１２は、電子スイッチアセンブリ４１０に対して電気的に接続されてもよい。多くの実施形態では、電子チャイム４１２が電子スイッチアセンブリ４１０に対して機械的に接続されてもよい。
【００７８】
電子スイッチアセンブリ４１０は、プリント回路基板と呼ぶこともできる。プリント回路基板は、電子チャイム４１２がデジタル音楽データに基づいてスピーカから通知音４３０を発することを可能にするように構成されてもよい。
【００７９】
図５−６、図８−９および図１１−１２を参照する。電子スイッチアセンブリ４１０は、第１状態および第２状態を規定することができる。第１状態は、第１閾値未満である第１電気４５０に応答して生じ得る。第１状態において、電子スイッチアセンブリ４１０は第１電気４５０が電子チャイム４１２を通過するのをブロックしてもよく、その結果、電子チャイム４１２は通知音４３０を発しない。これとは異なり、プリント回路基板は、第１閾値未満である第１電気４５０が電子チャイム４１２に入るのをブロックするように構成されてもよい。この点に関して、電子スイッチアセンブリ４１０は、第１電気４５０が電子チャイム４１２に入ることなく、セキュリティシステム２０２から電子スイッチアセンブリ４１０を通って変圧器４２４へ通過することを可能にしてもよい。第１閾値は、電子チャイム４１２を作動させて通知音４３０を発するために必要な電気の量であってもよいことが理解されるべきである。
【００８０】
さらに、第２状態は、第１閾値よりも大きい第２電気４５２に応答して発生することができる。第２状態において、電子スイッチアセンブリ４１０は、電子チャイム４１２が通知音４３０を発するように、第２電気４５２が電子チャイム４１２を通過することを可能にする。言い換えれば、電子スイッチアセンブリ４１０またはプリント回路基板は、第１閾値よりも大きい第２電気４５２が電子チャイム４１２に入ることを可能にするように構成できる。第２電気４５２は、電子チャイム４１２に通知音４３０を発信させることができる。
【００８１】
次に、図５を参照する。スイッチアセンブリ４１０は、電子チャイム４１２も収容可能なハウジング４１５の内側に配置することができる。スイッチアセンブリ４１０および電子チャイム４１２は、ハウジング４１５に対して機械的に接続することができる。ハウジング４１５は、電子チャイム４１２およびスイッチアセンブリ４１０を収容する中空の内部部分を有するプラスチックハウジングとすることができる。少なくとも１つのねじが、ハウジング４１５の内部のスイッチアセンブリを機械的に接続することができる。
【００８２】
電子ドアベル（例えば、セキュリティシステム２０２）は、ハウジング４１５の外側に配置することができる。いくつかの実施形態では、電子ドアベルが建物３００（図３に示す）の外側に配置され、ハウジング４１５は建物３００の内側に配置される。電子ドアベルおよびハウジング４１５は、建物３００の壁に連結することができる。電子ドアベルはハウジング４１５に対して遠隔位置に配置できる（例えば、プラスチックハウジング４１５が建物の内側に位置し、ドアベルは外側に位置する）。ドアベル、電子チャイム４１２、およびスイッチアセンブリ４１０はすべて、ドアベルがハウジング４１５に対して遠隔位置に配置されている場合であっても、同じ建物電源４２０と電気的に接続されるように構成することができる。
【００８３】
いくつかの実施形態は、第１電気４５０および第２電気４５２の経路指定を実行するスイッチを実装することができる。例えば、図７〜９に図示されるように、電子スイッチアセンブリ４１０は、第１電子スイッチ４１４ａと、第１電子スイッチ４１４ａに対して電気的に接続される第２電子スイッチ４１６ａとを含んでもよい。第１スイッチ４１４ａおよび第２スイッチおよび４１６ａは、第１電気４５０ａまたは第２電気４５２ａの受電に応じて、異なる機能を実行してもよい。例えば、図８に図示されるように、第１電気４５０ａに応答して、第１電子スイッチ４１４ａは第１電気４５０ａが電子スイッチアセンブリ４１０ａを通って流れることを可能にし、第１電気４５０ａが電子チャイム４１２を通って流れることを可能にしないことができる。同様に、第１電気４５０ａに応答して、第２電子スイッチ４１６ａは、第１電気４５０ａが電子チャイム４１２を通って流れることを許容しない。さらに、図９に図示されるように、第２電気４５２ａに応答して、第１および第２電子スイッチ４１４ａおよび４１６ａは、第２電気４５２ａが電子チャイム４１２を通って流れることを可能にする。
【００８４】
図８〜９にさらに示されるように、第１スイッチ４１４ａおよび第２スイッチおよび４１６ａは、それらのそれぞれの位置に基づいて異なる動作を実施するように構成されてもよい。例えば、図８に図示されるように、第１電子スイッチ４１４ａが第１位置にあるとき、第１電子スイッチ４１４ａは、変圧器４２４とセキュリティシステム２０２とを電気的に接続することができる。同様に、図９に図示されるように、第１電子スイッチ４１４ａが第２位置にある場合、第１電子スイッチ４１４ａは、変圧器４２４と電子チャイム４１２とを電気的に接続することができる。
【００８５】
いくつかの実施形態では、第１電子スイッチ４１４ａおよび第２スイッチ４１６ａの位置は反対でもよい。例えば、第１電子スイッチ４１４ａが第２位置にある場合、第１電子スイッチ４１４ａは電子チャイム４１２とセキュリティシステム２０２とを電気的に接続してもよい。しかし、逆の構成であっても、第１および第２スイッチ４１４ａおよび４１６ａは、図８および図９に関して図示および説明したものと同じ目的を効果的に達成することができることを理解されたい。
【００８６】
図８を参照する。第２電子スイッチ４１６ａが開位置にあるとき、第２電子スイッチ４１６ａは、セキュリティシステム２０２と電子チャイム４１２とを電気的に切断することができる。第２電子スイッチ４１６ａが開位置にあるとき、第２電子スイッチ４１６ａは、第１電気４５０ａを電子チャイム４１２に流すことを許容しない。図９に示すように、第２電子スイッチ４１６ａが閉位置にあるとき、第２電子スイッチ４１６ａは、セキュリティシステム２０２と電子チャイム４１２とを電気的に接続することができる。この位置では、第２電子スイッチ４１６ａが第１電気４５０ａを電子チャイム４１２に流すことを可能にしてもよい。同様に、いくつかの実施形態では第２電子スイッチ４１６ａが開位置にある場合、第２電子スイッチ４１６ａは変圧器４２４と電子チャイム４１２とを電気的に切断することができる。したがって、第２電子スイッチ４１６ａが閉位置にあるとき、第２電子スイッチ４１６ａは、変圧器４２４と電子チャイム４１２とを電気的に接続することができる。
【００８７】
第１および第２スイッチ４１４ａおよび４１６ａの位置は、他方のスイッチの位置に依存してもよい。例えば、図８に示されるように、第１電子スイッチ４１４ａが第１位置にあるとき、第２電子スイッチ４１６ａは開位置にあってもよい。さらに、図９に図示されるように、第１電子スイッチ４１４ａが第２位置にあるとき、第２電子スイッチ４１６ａは閉位置にあってもよい。
【００８８】
いくつかの実施形態は２つの電子スイッチを実装することができるが、２つより少ないまたは多い任意の数の電子スイッチを実装することができることを理解されたい。例えば、図１０〜１２に図示されるように、電子スイッチアセンブリ４１０ｂは、第１電子スイッチ４１４ｂと、第１電子スイッチ４１４ｂに対して電気的に接続される第２電子スイッチ４１６ｂと、第１および第２電子スイッチ４１４ｂおよび４１６ｂに対して電気的に接続される第３電子スイッチ４１８ｂとを含んでもよい。
【００８９】
２スイッチの実施形態と同様に、第１、第２、および第３スイッチ４１４ｂ、４１６ｂ、および４１８ｂは、第１電気４５０ｂまたは第２電気４５２ｂの受電に応じて様々な位置に移動することができる。例えば、図１１を参照すると、第１電気４５０ｂに応答して、第１電子スイッチ４１４ｂは第１電気４５０ｂが電子スイッチアセンブリ４１０ｂを通って流れることを可能にし、第１電気４５０ｂが電子チャイム４１２に流れることを可能にしない場合がある。同様に、第２および第３電子スイッチ４１６ｂおよび４１８ｂは、第１電気４５０ｂが電子チャイム４１２に対して流れないようにすることができる。図１２を参照すると、第２電気４５２ｂに応答して、第１電子スイッチ４１４ｂは第２電気４５２ｂが電子スイッチアセンブリ４１０ｂを通って流れないようにすることができ、第２および第３電子スイッチ４１６ｂおよび４１８ｂは、第２電気４５２ｂが電子チャイム４１２を通って流れるようにすることができる。
【００９０】
図７〜９に示す２スイッチの例と同様に、第１、第２、および第３スイッチ４１４ｂ、４１６ｂ、および４１８ｂは、それぞれの位置に基づいて異なる動作を実施するように構成することができる。例えば、図１１に図示されるように、第１電子スイッチ４１４ｂが閉位置にあるとき、第１電子スイッチ４１４ｂは、変圧器４２４とセキュリティシステム２０２とを電気的に接続する。同様に、図１２に図示されるように、第１電子スイッチ４１４ｂが開位置にあるとき、第１電子スイッチ４１４ｂは、変圧器４２４とセキュリティシステム２０２を電気的に切断する。
【００９１】
引き続き図１２を参照すると、第２電子スイッチ４１６ｂが閉位置にあるとき、第２電子スイッチ４１６ｂは、変圧器４２４と電子チャイム４１２とを電気的に接続する。図１１を参照すると、第２電子スイッチ４１６ｂが開位置にあるとき、第２電子スイッチ４１６ｂは、変圧器４２４および電子チャイム４１２を電気的に切断する。
【００９２】
図１２に図示されるように、第３電子スイッチ４１８ｂが閉位置にあるとき、第３電子スイッチ４１８ｂは、セキュリティシステム２０２と電子チャイム４１２とを電気的に接続する。さらに、図１１に示すように、第３電子スイッチ４１８ｂが開位置にあるとき、第３電子スイッチ４１８ｂは、セキュリティシステム２０２と電子チャイム４１２とを電気的に切断する。
【００９３】
同様に、第１、第２および第３スイッチ４１４ｂ、４１６ｂおよび４１８ｂの位置は、他のスイッチの位置に依存し得る。例えば、図１１に示すように、第１電子スイッチ４１４ｂが閉位置にあるとき、第２および第３電子スイッチ４１６ｂおよび４１８ｂはそれぞれ開位置にあってもよい。さらに、図１２に図示されるように、第１電子スイッチ４１４ｂが開位置にあるとき、第２および第３電子スイッチ４１６ｂおよび４１８ｂはそれぞれ閉位置にあってもよい。
【００９４】
第１電子スイッチ４１４ａおよび第２電子スイッチ４１６ａは、抵抗器などのように、電気をルーティングするか、または電気の流れの量を制限するように構成された任意の電気構成要素を備えることができることを理解されたい。例えば、図７〜９に示される２つのスイッチの実施形態などのように、いくつかの実施形態では、第１電子スイッチ４１４ａが双極単投スイッチを備えてもよく、第２電子スイッチ４１６ａは単極単投スイッチを備えてもよい。同様に、３スイッチの実施形態のようないくつかの実施形態では、第１、第２および第３電子スイッチ４１４ｂ、４１６ｂおよび４１８ｂはそれぞれ、単極単投スイッチを備えてもよい。
【００９５】
電子スイッチアセンブリ４１０、またはプリント回路基板は、種々のサイズおよび幾何学的形状で配置および構成されてもよい。例えば、図１３に図示されるように、電子スイッチアセンブリ４１０は、第１方向に沿って延伸する長さと、第１方向とは反対の第２方向に沿って延伸する幅とを規定するベース部分を含んでもよい。いくつかの実施形態において、電子スイッチアセンブリ４１０は、長さが幅よりも大きい、長方形の形状を規定してもよい。同様に、いくつかの実施形態において、電子スイッチアセンブリ４１０は、第２方向に沿った長さから延伸する３つのタブ５１０をさらに含んでもよい。このように、上から見た電子スイッチアセンブリ４１０の実施形態は大文字「Ｅ」のフットプリントを有するように見える場合があるが、電子スイッチアセンブリ４１０は任意の形状を規定するように配置および構成されてもよいことが理解されるべきである。
【００９６】
引き続き図１３を参照すると、３つのタブ５１０の各々は、第１方向および第２方向とは反対の第３方向に沿って３つのタブ５１０の各々を通って延びる開口部５１２を含んでもよい。開口５１２の各々は、ねじ付きファスナを受け入れるように構成することができる。このようにして、電子スイッチアセンブリ４１０は、３つのねじを切ったファスナを介して、電子チャイム４１２に対して機械的に接続されてもよい。換言すれば、ねじを切ったファスナの各々はそれぞれの開口５１２を通って延在し、電子チャイム４１２と機械的に係合して、電子スイッチアセンブリ４１０を電子チャイム４１２に対して機械的に接続してもよい。電子スイッチアセンブリ４１０は３より少ないかまたは多い任意の数の開口を含むことができ、したがって、ねじ付きファスナなどの任意の数の機械的ファスナを介して電子チャイム４１２に対して機械的に固定することができることを理解されたい。
【００９７】
いくつかの実施形態ではドアベルシステムがハウジングを備え、電子チャイム４１２および電子スイッチアセンブリ４１０はハウジングの内側に配置される。同様に、セキュリティシステム２０２は、ハウジングの外側の、ハウジングに対して離れた位置に配置されてもよい。例えば、セキュリティシステム２０２は、ドアに隣接する外壁に沿ってなどのように、建物の戸口または入口または点に隣接して配置することができる。しかしながら、セキュリティシステム２０２およびハウジングの一方または両方は、建物の内側または外側に配置されてもよいことを理解されたい。同様に、いくつかの実施形態において、ハウジングはプラスチックハウジングである。しかしながら、ハウジングは、建物の内側または外側に電子部品を安全に収容するように構成された任意の種類の材料を含み得ることが理解されるべきである。
【００９８】
同様に、いくつかの実施形態は、リモートコンピューティングデバイス２０４をさらに含む。リモートコンピューティングデバイスは、セキュリティシステム２０２との間で情報を送受信するように構成することができる。いくつかの実施形態では、情報は第１閾値を含むことができる。例えば、リモートコンピューティングデバイス２０４を使用して、第１閾値のレベルを調整することができる。例えば、ユーザが第１閾値を１２ボルトから１４ボルトに調整したい場合、ユーザは、リモートコンピューティングデバイス２０４を使用することによって調整することができる。さらに、リモートコンピューティングデバイス２０４を使用して、第１閾値を電圧、電流、電力などに変化させてもよい。この点に関し、スイッチアセンブリ４１０はリモートコンピューティングデバイス２０４によって確立された情報にしたがってプログラムされるように、論理回路を含んでもよい。
【００９９】
同様に、いくつかの実施形態において、情報は、第２電気が第１閾値を超えて維持される所定時間量を含むことができる。言い換えると、所定時間量は、電子チャイム４１２が通知音４３０を発する時間量を決定することができる。例えば、通知音４３０が楽曲である場合、所定時間量は、訪問者がセキュリティシステム２０２のボタンを押したときに楽曲が再生する時間量を決定することができる。所定時間量は、３秒、５秒、１０秒、３０秒、６０秒、または任意の他の時間量など、任意の時間量とすることができることを理解されたい。
【０１００】
＜ドアベル方法の実施形態＞
多くの実施形態は、前述のドアベルシステムの実施形態を利用する。例えば、いくつかの実施形態は、ドアベルシステムを使用するための方法を含む。ドアベルシステムは、電子ドアベル、電子チャイム、およびリモートコンピューティングデバイスを含むことができる。図１４に示すように、本方法は、カメラとボタン（ステップ７００で）を備える電子ドアベル（またはセキュリティシステム２０２）を得ることを含んでもよい。ボタンは、訪問者が電子チャイム４１２を鳴らすことを可能にするように構成可能であってもよい。電子チャイム４１２は、訪問者が電子ドアベル２０２のボタンを押すことに応答して通知音４３０を発するように構成可能なスピーカを含むことができる。本方法はまた、（ステップ７０２において）電子スイッチアセンブリ４１０を電子チャイム４１２に対して電気的に接続するステップを含んでもよい。いくつかの実施形態では、本方法はまた、電子スイッチアセンブリ４１０を電子チャイム４１２に対して機械的に接続するステップを含んでもよい。
【０１０１】
さらに、本方法は、電子ドアベル２０２を電子スイッチアセンブリ４１０に対して電気的に接続するステップ（ステップ７０４）を含んでもよい。さらに、いくつかの方法は、第１閾値未満である第１電気４５０が電子チャイム４１２に入ることなく（ステップ７０６）、電子スイッチアセンブリ４１０を通過するように、電子スイッチアセンブリ４１０を構成することを含んでもよい。このようにして、第１電気４５０は、電子チャイム４１２が通知音４３０を発しないようにすることができる。このように、第１電気が第１閾値未満であることに応答して、電子スイッチアセンブリ４１０は、第１電気４５０が電子チャイム４１２を通過するのをブロックしてもよい。
【０１０２】
一部の実施形態はさらに、第１閾値よりも大きい第２電気４５２が電子チャイム４１２を通過するように（ステップ７０８）、電子スイッチアセンブリ４１０を構成するステップを含んでもよい。このようにして、第２電気４５２は、電子チャイム４１２に通知音４３０を発信させてもよい。電子スイッチアセンブリ４１０は、第２電気４５２が第１閾値よりも大きいことに応答して、第２電気４５２が電子チャイム４１２を通過できるように構成されてもよい。第１閾値は、通知音４３０を発するために電子チャイム４１２によって必要とされる電気値であってもよいことを理解されたい。
【０１０３】
本開示で説明される実施形態は、第１および第２電気４５０および４５２に限定されないことを理解されたい。例えば、いくつかの実施形態は、第３および第４電気をさらに含んでもよい。一部の実施形態は、第３電気が第１閾値未満であることに応答して、第３電気が電子チャイム４１２に入ることなく、変圧器４２４を通過してセキュリティシステム２０２へ、次いで、電子スイッチアセンブリ４１０へ、次いで、変圧器４２４へ通過するように、ドアベルシステム４００などの電気回路を構成することを含む。同様に、いくつかの実施形態は、第４電気が第１閾値よりも大きいことに応答して、変圧器４２４からセキュリティシステム２０２へ、および電子スイッチアセンブリ４１０へと第４電気が通過するように、電気回路を構成することを含む。このようにして、第４電気は、電子スイッチアセンブリ４１０から電子チャイム４１２に迂回され、次いで、電子スイッチアセンブリ４１０に戻されてもよい。セキュリティシステム２０２および電子スイッチアセンブリ４１０は、電気回路内で直列に接続されてもよいことが理解されるべきである。しかしながら、セキュリティシステム２０２および電子スイッチアセンブリ４１０は、並列に接続されてもよいことも理解されるべきである。
【０１０４】
電子チャイム４１２は、訪問者がセキュリティシステム２０２のボタンを押すことに応答して通知サウンド４３０を発するように構成された任意のタイプのデジタルデバイスを備えることができる。例えば、電子チャイム４１２は、第１プリント回路基板を有するデジタルチャイムであってもよい。いくつかの実施形態において、本方法は、電子チャイム４１２がデジタル音楽データに基づいてスピーカから通知音４３０を発することを可能にするように第１プリント回路基板を構成することをさらに含むことができる。
【０１０５】
いくつかの実施形態では、訪問者がセキュリティシステム２０２のボタンを押すと、セキュリティシステム２０２はすべての電気を電子スイッチアセンブリ４１０経由で電子チャイム４１２に送るように構成されてもよい。これを達成するために、セキュリティシステム２０２は、第２プリント回路基板をさらに備えてもよい。いくつかの実施形態において、本方法はさらに、セキュリティシステム２０２の第２プリント回路基板を通して第１電気４５０の少なくとも一部をルーティングすることをさらに含むことができる。訪問者がボタンを押すことに応答して、本方法は、第２電気４５２がセキュリティシステムの第２プリント回路基板に入るのを阻止することを含むことができる。電子チャイム４１２に通知音４３０を発せさせるために、本方法は、訪問者がセキュリティシステム２０２のボタンを押すことに応答して、第２電気４５２を第１閾値よりも大きくさせるステップを含むことができる。
【０１０６】
ドアベルシステム４００は電子スイッチアセンブリ４１０を介して、第１電気４５０が第１閾値未満である場合に、第１電気４５０が電子チャイム４１２に入るのを阻止するように構成されてもよい。具体的には、いくつかの実施形態において、本方法は、第１電気４５０が第１閾値未満である間に、電子スイッチアセンブリ４１０を使用して、変圧器電力が電子チャイム４１２に入るのを阻止することを含んでもよい。同様に本方法は、第２電気４５２が第１閾値よりも大きい間に、電子スイッチアセンブリ４１０からの変圧器電力を電子チャイム４１２に迂回させるために、電子スイッチアセンブリ４１０を使用することを含んでもよい。
【０１０７】
第１閾値は、電力、電圧、および／または電流など、任意のタイプの電気であってもよいことを理解されたい。この点に関し、第１閾値は、第１電力閾値、第１電圧閾値、および／または第１電流閾値として記載されてもよい。
【０１０８】
ドアベルシステム４００はまた、セキュリティシステム２０２との間で情報を送受信するために使用することができるリモートコンピューティングデバイス２０４を含むことができる。例えば、情報は、電子チャイム４１２が通知サウンド４３０を発する持続時間を定義する所定の時間量を含むことができる。この点に関して、いくつかの実施形態は、第２電気４５２が第１閾値を超える前に、リモートコンピューティングデバイス２０４を介して所定の時間量を設定することをさらに含むことができる。同様に、この方法は、所定の時間量をリモートコンピューティングデバイス２０４からセキュリティシステム２０２に対して無線で送信することを含むことができる。第２電気４５２が第１閾値を上回ると、本方法は、第２電気４５２を所定の時間にわたって第１閾値を上回るように維持することをさらに含むことができる。
【０１０９】
いくつかの実施形態において、ドアベルシステム４００はプラスチックハウジングなどのハウジングを備える。したがって、本方法は、電子チャイム４１２および電子スイッチアセンブリ４１０をプラスチックハウジングの内側に配置することをさらに含んでもよい。同様に、本方法はプラスチックハウジングの外側で、プラスチックハウジングに対して離れた位置に、セキュリティシステム２０２を配置することを含んでもよい。幾つかの方法はさらに、建物の内面に沿ってプラスチックハウジングを取り付け、建物の入口付近の建物の外面に沿ってセキュリティシステム２０２を取り付けることを含むことができる。しかしながら、プラスチックハウジングおよび／またはセキュリティシステム２０２は、建物の内部または外部表面に沿った任意の場所に取り付けることができることが理解されるべきである。
【０１１０】
図１５に示すように、いくつかの実施形態は、ドアベルシステム４００を使用するための別の方法を開示する。この方法は、（ステップ８００で）セキュリティシステム２０２を取得することを含むことができる。この方法はまた、プリント回路基板４１０を電子チャイム４１２に対して機械的に接続するステップと、プリント回路基板４１０を電子チャイム４１２に対して電気的に接続するステップ（ステップ８０２）とを含んでもよい。さらに、いくつかの方法は、セキュリティシステム２０２をプリント回路基板４１０に対して電気的に接続するステップ（ステップ８０４）を含む。
【０１１１】
いくつかの実施形態は、第１電気４５０が第１閾値未満であることに応答して、第１電気４５０がプリント回路基板４１０を通過するように、プリント回路基板４１０を構成するステップ（ステップ８０６）を含んでもよい。同様に本方法は、第１電気４５０が第１閾値（ステップ８０８）未満であることに応答して、第１電気４５０が電子チャイム４１２に入るのを阻止するように、プリント回路基板４１０を構成することを含んでもよい。したがって、第１電気４５０は、電子チャイム４１２に通知音４３０を発せない。
【０１１２】
いくつかの実施形態は、プリント回路基板４１０が第１閾値よりも大きい第２電気４５２を電子チャイム４１２に入らせて、電子チャイムに通知音４３０を出させるように、プリント回路基板４１０を構成することをさらに含んでもよい。このように、プリント回路基板４１０は、第２電気４５２が第１閾値よりも大きいことに応答して、第２電気４５２が電子チャイム４１２を通過するようにしてもよい。
【０１１３】
さらに、プリント回路基板４１０は第１プリント回路基板として記載されてもよく、セキュリティシステム２０２は第２プリント回路基板を備えてもよい。図１４に示される方法と同様に、図１５に開示される方法はさらに、セキュリティシステム２０２の第２プリント回路基板を通して第１電気４５０の少なくとも一部をルーティングするステップを含んでもよい。同様に、この方法はさらに、訪問者がボタンを押すことに応答して、第２電気４５２がセキュリティシステム２０２の第２プリント回路基板に入るのを阻止するように第２プリント回路基板を構成することを含むことができる。別の言い方をすれば、これらのステップは全ての変圧器電力がセキュリティシステム２０２に入るのを阻止し、チャイムが通知音４３０を発するのに十分な電力を有するように電子チャイム４１２に迂回することを可能にする。
【０１１４】
いくつかの実施形態は、ドアベルシステム４００を使用するためのさらに別の方法を含む。図１６に示すように、この方法は、セキュリティシステム２０２を取得するステップ（ステップ９００）を含む。図１４に図示される方法と同様に、多くの実施形態は、プリント回路基板４１０を電子チャイム４１２に対して機械的に接続し、プリント回路基板４１０を電子チャイム４１２に対して電気的に接続するステップ（ステップ９０２）も含む。また、いくつかの実施形態は、セキュリティシステム２０２をプリント回路基板４１０に対して電気的に接続するステップ（ステップ９０４）を含む。引き続き図１５を参照すると、第２電気４５２が第１閾値よりも大きいことに応答して、多くの実施形態は、第２電気４５２が電子チャイム４１２を通過して電子チャイム４１２が通知音４３０を発するように電子スイッチアセンブリ４１０を構成するステップも含む（ステップ９０６）。
＜解釈＞
本明細書に記載されるステップのいずれも、必須または不可欠ではない。ステップのいずれも、調整または修正することができる。他のまたは追加のステップを使用することができる。本明細書の１つの実施形態、フローチャート、または例において開示または図示されるステップ、プロセス、構造、および／またはデバイスのいずれかの任意の部分は、異なる実施形態、フローチャート、または例において開示または図示されるステップ、プロセス、構造、および／またはデバイスのいずれかの任意の他の部分と組み合わせるか、またはそれらの代わりに使用することができる。本明細書で提供される実施形態および例は、互いに別個かつ分離していることを意図していない。
【０１１５】
本明細書で提供されるセクション見出しおよび副見出しは、非限定的である。セクションの見出しおよび副見出しは、見出しおよび副見出しが関係するセクションに記載された実施形態の全範囲を表すまたは限定するものではない。例えば、「トピック１」と題されたセクションはトピック１に関連しない実施形態を含むことができ、他のセクションに記載された実施形態は、「トピック１」セクション内に記載された実施形態に適用され、それらと組み合わせることができる。
【０１１６】
デバイス、システム、実施形態、およびプロセスのいくつかは、コンピュータを使用する。前のセクションで説明したルーチン、プロセス、方法、およびアルゴリズムの各々は、コンピュータ命令を実行するように構成された１つ以上のコンピュータ、コンピュータプロセッサ、またはマシンによって実行されるコードモジュールにおいて具体化され、完全にまたは部分的に自動化されてもよい。コードモジュールは、ハードドライブ、ソリッドステートメモリ、フラッシュメモリ、光ディスク、および／または同様のもののような、任意のタイプの一時的でないコンピュータ読み取り可能な記憶媒体または有形のコンピュータ記憶装置に記憶することができる。プロセスおよびアルゴリズムは、アプリケーション固有の回路において部分的にまたは全体的に実装され得る。開示されたプロセスおよびプロセスステップの結果は例えば、揮発性または不揮発性記憶装置などの任意のタイプの非一時的コンピュータ記憶装置に、永続的に、または他の方法で記憶され得る。
【０１１７】
上述の様々な特徴およびプロセスは、互いに独立して使用されてもよく、または様々な方法で組み合わせられてもよい。全ての可能な組合せおよびサブ組合せは、本開示の範囲内にあることを意図している。さらに、特定の方法、イベント、状態、またはプロセスブロックは、いくつかの実装において省略されてもよい。本明細書で説明される方法、ステップ、およびプロセスはまた、任意の特定のシーケンスに限定されず、それに関連するブロック、ステップ、または状態は、適切な他のシーケンスで実行され得る。例えば、説明されたタスクまたはイベントは、具体的に開示された順序以外の順序で実行されてもよい。複数のステップは、単一のブロックまたは状態で組み合わされてもよい。タスクまたはイベントの例は、直列、並列、または他の方法で実行することができる。タスクまたはイベントは開示された例示的な実施形態に追加されてもよいし、またはそこから削除されてもよい。本明細書で説明される例示的なシステムおよび構成要素は、説明されるものとは異なるように構成され得る。例えば、要素は、開示された例示的な実施形態と比較して、追加され、除去され、または再配置されてもよい。
【０１１８】
特に「できる」「可能」「ことができる」「でもよい」「例えば」等のような本明細書で使用される条件付き言語は特に明記されない限り、または使用される文脈内で別途理解されない限り、一般に、特定の実施形態が特定の特徴、要素および／またはステップを含まない一方で、特定の実施形態が含むことを伝えることを意図している。したがって、そのような条件言語は通常、特徴、要素、および／またはステップが１つ若しくは複数の実施例に必ず必要とされることを示唆するものではなく、または１つ若しくは複数の実施例が、入力の有無にかかわらず、これらの特徴、要素、および／またはステップが何らかの特定の実施例に含まれるかどうか若しくは実行すべきかどうかを決定する論理回路を必ず含むことを示唆するものでもない。用語「備える」、「含む」、「有する」などは同義語であり、オープンエンドの様式で包括的に使用され、追加の要素、特徴、行為、動作などを排除するものではなく、また、用語「または」はその包括的な意味で使用され（かつ、その排他的な意味ではない）、例えば、要素のリストを接続するために使用される場合、用語「または」はリスト内の要素の１つ、いくつか、またはすべてを意味する。語句「Ｘ、Ｙ、およびＺのうちの少なくとも１つ」などの結合言語は特に断らない限り、項目、用語などがＸ、Ｙ、またはＺのいずれかであり得ることを伝えるために一般に使用される文脈とともに理解される。したがって、このような結合言語は特定の実施形態がそれぞれ存在するために、Ｘ、Ｙのうちの少なくとも１つ、およびＺのうちの少なくとも１つを必要とすることを一般に暗示することを意図しない。
【０１１９】
用語「および／または」は、「および」がいくつかの実施形態に適用され、「または」がいくつかの実施形態に適用されることを意味する。したがって、Ａ、Ｂ、および／またはＣは、１つの文で書かれたＡ、Ｂ、およびＣと、別の文で書かれたＡ、Ｂ、またはＣと置き換えることができる。用語「および／または」は不必要な冗長性を回避するために使用される。Ａ、Ｂ、および／またはＣはいくつかの実施形態がＡおよびＢを含むことができ、いくつかの実施形態がＡおよびＣを含むことができ、いくつかの実施形態がＢおよびＣを含むことができ、いくつかの実施形態がＡおよびＣを含むことができ、いくつかの実施形態がＡおよびＣのみを含むことができ、いくつかの実施形態がＣのみを含むことができることを意味する。
【０１２０】
特定の例示的な実施形態を説明してきたが、これらの実施形態は例としてのみ提示されており、本明細書で開示される本発明の範囲を限定することを意図していない。したがって、前述の説明のいかなるものも、任意の特定の特徴、特性、ステップ、モジュール、またはブロックが必要または不可欠であることを暗示することを意図するものではない。実際に、本明細書に記載される新規な方法およびシステムは様々な他の形態で具現化されてもよく、さらに、本明細書に記載される方法およびシステムの形態における様々な省略、置換、および変更が、本明細書に開示される発明の精神から逸脱することなく行われてもよい。
【図１】
2021525979.tif 000003
【図２】
2021525979.tif 000004
【図３】
2021525979.tif 000005
【図４】
2021525979.tif 000006
【図５】
2021525979.tif 000007
【図６】
2021525979.tif 000008
【図７】
2021525979.tif 000009
【図８】
2021525979.tif 000010
【図９】
2021525979.tif 000011
【図１０】
2021525979.tif 000012
【図１１】
2021525979.tif 000013
【図１２】
2021525979.tif 000014
【図１３】
2021525979.tif 000015
【図１４】
2021525979.tif 000016
【図１５】
2021525979.tif 000017
【図１６】
2021525979.tif 000018
【国際調査報告】
2021525979.tif 000019